(57)【要約】【課題】強度の低下を抑制し、かつ作業性の向上が可能なテンショナを提供することを課題とする。【解決手段】ボディと、前記ボディに摺動自在に収納されたプランジャと、前記プランジャに押圧されることでチェーンにテンションを付与するチェーンスリッパと、を具備し、前記ボディには、前記プランジャの摺動軸の方向から見たときに前記プランジャの外側に突出する第１の突起が設けられ、前記チェーンスリッパには、前記プランジャの摺動軸の方向から見たときに前記プランジャの外側に突出する第２の突起が設けられ、前記第１の突起に第１の穴が設けられ、前記第２の突起に第２の穴が設けられ、前記プランジャを前記ボディに押し込んだ状態において、前記第１の穴と前記第２の穴とが重なるテンショナ。【選択図】図２
2017166601.tif 000002
【特許請求の範囲】
【請求項１】
ボディと、
前記ボディに摺動自在に収納されたプランジャと、
前記プランジャに押圧されることでチェーンにテンションを付与するチェーンスリッパと、を具備し、
前記ボディには、前記プランジャの摺動軸の方向から見たときに前記プランジャの外側に突出する第１の突起が設けられ、
前記チェーンスリッパには、前記プランジャの摺動軸の方向から見たときに前記プランジャの外側に突出する第２の突起が設けられ、
前記第１の突起に第１の穴が設けられ、前記第２の突起に第２の穴が設けられ、
前記プランジャを前記ボディに押し込んだ状態において、前記第１の穴と前記第２の穴とが重なるテンショナ。
【発明の詳細な説明】
【技術分野】
【０００１】
本発明はテンショナに関する。
【背景技術】
【０００２】
エンジンのクランクシャフトとカムシャフトとの間の動力の伝達は、チェーンによって行われる。チェーンの張力を適切に保つため、テンショナが用いられる。例えばバネで付勢されたプランジャがチェーンスリッパを押し出すことで、チェーンスリッパがチェーンに接触し、チェーンに張力を付与する。エンジンの組み立ての際には、プランジャおよびチェーンスリッパを押し込んだ状態で、チェーンスリッパの穴にピンなどを挿入してプランジャおよびチェーンスリッパを固定する（例えば特許文献１）。
【先行技術文献】
【特許文献】
【０００３】
【特許文献１】特開平９−１１９４８９号公報
【発明の概要】
【発明が解決しようとする課題】
【０００４】
ディーラーなどで車両のメンテナンスを行う際にも、チェーンをたるませるため、プランジャを押し込んだ状態で保持する。作業性の向上のため、例えば六角レンチなど一般的に使用されている工具（標準工具）を用いてプランジャを保持することが好ましい。しかし、標準工具の寸法はピンの寸法より大きいことがある。このため、標準工具を挿入することが可能な穴をチェーンスリッパに設けると、チェーンスリッパの強度が低下してしまう。特に、チェーンスリッパのプランジャに押圧される部分には押圧力が加わるため、強度を高く維持することが好ましいが、上述のような大きな穴を設けることで強度が低下してしまう。
【０００５】
そこで、強度の低下を抑制し、かつ作業性の向上が可能なテンショナを提供することを目的とする。
【課題を解決するための手段】
【０００６】
上記目的は、ボディと、前記ボディに摺動自在に収納されたプランジャと、前記プランジャに押圧されることでチェーンにテンションを付与するチェーンスリッパと、を具備し、前記ボディには、前記プランジャの摺動軸の方向から見たときに前記プランジャの外側に突出する第１の突起が設けられ、前記チェーンスリッパには、前記プランジャの摺動軸の方向から見たときに前記プランジャの外側に突出する第２の突起が設けられ、前記第１の突起に第１の穴が設けられ、前記第２の突起に第２の穴が設けられ、前記プランジャを前記ボディに押し込んだ状態において、前記第１の穴と前記第２の穴とが重なるテンショナによって達成できる。
【発明の効果】
【０００７】
強度の低下を抑制し、かつ作業性の向上が可能なテンショナを提供できる。
【図面の簡単な説明】
【０００８】
【図１】図１はテンショナを例示する斜視図である。
【図２】図２（ａ）はテンショナを例示する断面図である。図２（ｂ）は図２（ａ）の線Ａ−Ａに沿った断面図である。
【発明を実施するための形態】
【０００９】
以下、図面を参照して本実施例のテンショナ１００について説明する。図１はテンショナ１００を例示する斜視図である。図２（ａ）はテンショナ１００を例示する断面図である。図２（ｂ）は図２（ａ）の線Ａ−Ａに沿った断面図である。図１〜図２（ｂ）に示すテンショナ１００は例えば自動車に搭載される。
【００１０】
図１〜図２（ｂ）に示すように、テンショナ１００は、ボディ１０、プランジャ２０、およびチェーンスリッパ３０を備える。ボディ１０はボディ本体１２および突起１４を有する。チェーンスリッパ３０はスリッパ本体３２および突起３４を有する。
【００１１】
ボディ本体１２は、ボルト１１によりエンジンに固定される筒状の部材であり、ボディ本体１２内にはプランジャ２０およびバネ２２が収容されている。プランジャ２０は例えばプレス加工により成形された筒状の部材であり、一端がバネ２２に接触し、他端はチェーンスリッパ３０と対向する。プランジャ２０は図２（ａ）の軸ＡＸに沿って、ボディ本体１２内で摺動自在である。バネ２２の付勢力によりプランジャ２０は軸ＡＸに沿ってボディ１０の外側に付勢され、スリッパ本体３２に接触し、チェーンスリッパ３０を押し出す。プランジャ２０により付勢されたチェーンスリッパ３０はチェーンに接触し、チェーンに張力を付与する。
【００１２】
ボディ本体１２には、軸ＡＸの方向から見て、プランジャ２０と重ならない位置に、ボディ本体１２と一体に突起１４（第１の突起）が設けられ、突起１４には穴１６（第１の穴）が設けられている。スリッパ本体３２には、軸ＡＸの方向から見て、プランジャ２０と重ならない位置に、スリッパ本体３２と一体に突起３４（第２の突起）が設けられ、突起３４には穴３６（第２の穴）が設けられている。穴１６は突起１４を貫通し、穴３６は突起３４を貫通する。穴１６および３６それぞれの直径Ｒ１は例えば２ｍｍである。
【００１３】
図２（ａ）および図２（ｂ）に示すように、車両のメンテナンス時には、チェーンをたるませるため、バネ２２の付勢力に抗してプランジャ２０およびチェーンスリッパ３０を、軸ＡＸに沿ってボディ１０側に押し込む。スリッパ本体３２がボディ１０の突起１４の側面に接触するまで、プランジャ２０およびチェーンスリッパ３０を押し込むと、穴１６と穴３６とは重なる。図２（ｂ）に示すように、穴１６および３６に工具４０を挿入することにより、プランジャ２０およびチェーンスリッパ３０を押し込んだ状態で固定する。工具４０は例えば六角レンチであり、穴１６および３６を貫通する。工具４０の二面幅Ｓは直径Ｒ１より小さく、例えば１．５ｍｍである。
【００１４】
本実施例によれば、上記のように、六角レンチのような標準工具を用いて、プランジャ２０およびチェーンスリッパ３０を固定することができる。ディーラーなどは、プランジャ２０およびチェーンスリッパ３０の固定のために専用の冶具を準備しなくてよいため、作業性が向上する。
【００１５】
穴１６はボディ１０の突起１４に設けられ、穴３６はチェーンスリッパ３０の突起３４に設けられている。ボディ本体１２およびスリッパ本体３２には穴を設けないため、ボディ１０およびチェーンスリッパ３０の強度の低下が抑制される。特にボディ１０のプランジャ２０に押圧される部分の強度が高く維持される。
【００１６】
例えばチェーンスリッパのスリッパ本体に凹部を設け、その凹部に工具を挿入することも考えられる。工具の傾きを抑制するため、凹部の深さを凹部の直径と同程度とする必要がある。しかし深い凹部および凹部下の肉厚を確保するために、チェーンスリッパを厚くすることになる。この結果、テンショナの車両への搭載が困難となる。本実施例によれば、突起１４を貫通する穴１６、および突起３４を貫通する穴３６が設けられている。このためボディ１０およびチェーンスリッパ３０を厚くしなくてよく、テンショナ１００を車両に搭載することができる。
【００１７】
作業性向上のために、工具４０として、ディーラーおよび整備工場などで一般に使われている標準工具を用いることが好ましく、六角レンチ以外でもよい。穴１６および３６の直径は、工具４０の寸法（二面幅、直径など）より大きければよい。工具４０を穴１６および３６に挿入することができる。
【００１８】
プランジャ２０の低コスト化のため、プランジャ２０を例えばプレス加工で成形することが好ましい。プレス成形されたプランジャ２０の厚さは小さいため、プランジャ２０に工具挿入用の穴を設けることは難しい。本実施例によれば、プランジャ２０には穴を設けず、ボディ１０の突起１４およびチェーンスリッパ３０の突起３４に穴を設ける。このためプレス成形した低コストのプランジャ２０を用いることができる。
【００１９】
以上本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００２０】
１０        ボディ
１１        ボルト
１２        ボディ本体
１４、３４  突起
１６、３６  穴
２０        プランジャ
２２        バネ
３０        チェーンスリッパ
３２        スリッパ本体
４０        工具
１００      テンショナ
【図１】
2017166601.tif 000003
【図２】
2017166601.tif 000004